(57)【要約】〔目的〕筒部（１）の端部を密閉し、この端部の外側面の中央部に、目立つ色をした棒柱（２）の先端に黄色または白色又は発光ダイオード（ＬＥＤ）等発光体の目立つ色彩の球（３）を設け、この棒柱（２）の片方を直立に接着固定し、高電圧送電鉄塔に用いているボルト（５）の頂上部又はナット（６）に、筒部（１）の片方の中空から被覆固定し、ボルトナットを抜き取って鉄塔を倒壊さすテロ行為を、ラジコンヘリコプターによる空撮で、未然に防止及び強制的に抑圧、抑止することを特徴とする。〔構成〕筒部（１）の端部を密閉し、これに目立つ色彩又は発光体を有する球（３）を、目立つ色をした棒柱（２）の端部に設け、この棒柱の片方を、筒部（１）の密閉した外側面の中心部に直立に接着固定する。〔選択図〕      ３【特許請求の範囲】
【請求項１】
山岳地帯に設置された高電圧送電鉄塔に用いられている不可欠のボルトナットを、テロから防御するため、目立つ色をした棒柱（２）の先端に、黄色又は夜光塗料又は発光ダイオード（ＬＥＤ）等発光体での目立つ色彩を施した球（３）を設け、この棒柱（２）の片方を、筒部（Ｉ）の端部を密閉した部位の外側面の中心部に、直立するように接着固定し、この筒部（Ｉ）の片方の中空から、ボルト（５）の頂上部又はナット（６）に、強力な接着剤で被覆固定し、衛星利用測位システム（ＧＰＳ）及び高性能カメラを搭載した無人巡視ヘリコプター（ラジコンヘリコプター）で、ボルトナットを抜き取っての鉄塔倒壊のテロ行為を監視又は空撮により、人及び車の往来が多く、テロを発見、監視しやすい、市街地及び郊外地と同様に、人里遠く離れた山岳地帯の高圧鉄塔も保全を容易にし、保安に著しく貢献できることを特徴とする目立つボルトナット。
【請求項２】
それぞれの高電圧送電鉄塔の上部に、連結して設置されている送電線の全体、又は重要な部材及び部品等に、黄色又は白色又は夜光塗料、又は発光ダイオード（ＬＥＤ）等で、目立つ色彩を施して、衛星利用測位システム（ＧＰＳ）及び高性能カメラを搭載した、ラジコンヘリコプターによる空撮を容易にし、地上に送信する映像を鮮明にする事を特徴とする目立つボルトナット。
【発明の詳細な説明】
【発明の詳細な説明】
【産業上の利用分野】
【０００１】  この発明は昨今、国内外において発生している、高電圧送電鉄塔等の構造物を構成している、部位及び部材を固定又は締めつけてあるボルト（５）ナット（６）が、テロ行為等により抜き取られて鉄塔が倒壊する事件が発生しているが、これを未然に防止、さらにテロ行為を物理的、かつ強制的に抑制し、抑止するものである。
国内においては、１９９８年２月２０日１３時ごろ、香川県坂出市において、高さ７３米、重さ約３０トンの、高圧送電鉄塔の基部のボルト（５）及びナット（６）が抜き取られて倒壊し、約２０万戸が２０時間停電し、約３万戸の家庭のガスが止まり、四国電力と周辺の生産企業の損害だけでも約６０億円であった。
さらに、２００３年（平成１５年）５月１４日に、香川県の防災行政無線の鉄塔のボルトが抜き取られる事件が発生した。幸いにしてこの鉄塔の倒壊はなかったが、ボルトは１０本抜き取られていたものである。
この事件により、四国電力は、管内に存在する約１万基すべての鉄塔を点検し、全ボルトに異常がないことを確認した。この費用、経費は莫大なものである。
さらに、２００５年５月１１日には、兵庫県南あわじ市福良で、関西電力の高圧送電鉄塔一基のボルト３０本が抜き取られており、緩んでいた事が分かった。
外国においては、２００５年（平成１７年）５月２５日に、ロシア共和国の首都モスクワ市において、未曾有の２昼夜にわたる大停電が発生したが、テロ行為により、数１０基の鉄塔を倒壊されたのが原因だと言われている。
これ等の事件を総括すると、今後のテロは市民の殺傷よりも、市民生活に必要不可欠なライフラインを標的にして、広範な市民に大打撃と大混乱を与え、その時の政権の崩壊を狙う、新たなテロが発生するものと予測される。
本発明は、これらのテロを最新の科学技術で、未然に防止、強制的に抑圧及び抑止することを目的とした、目立つボルトナットに関する。
【背景技術】
【０００２】  鉄道のレールを固定しているボルト、及び高電圧送電鉄塔に用いているボルトナットの、テロに対しての保全方法は、特許第３６７１１１２号に開示され、全国の電力会社及び鉄道会社で実施されているが、人里遠く離れた山岳地帯の保全と保安は完全ではなかった。
【発明が解決しようとする課題】
【０００３】  特許第３６７１１１２号により、ボルトナットの保全方法は、鉄鋼製又はプラスチック製の丸円形の筒の中空に、グリス状の強力な接着剤等を入れてボルトナットに被覆固定して、テロ行為であるボルトの抜き取り犯行を著しく困難化しており、非常に効果がある。
しかし、人里遠く離れた山岳地帯の鉄塔のボルトの保全は、被覆固定した丸筒の先端に、蓋を設け、この表面に夜行塗料等を塗布して、目視しやすい方法を実施しているが不充分であり、いずれも人の目視による方法である。
従来、特に山岳地帯のボルトナットの点検は、作業員が徒歩での確認で、５年に１回程度であり、有人ヘリコプターでのパトロール確認巡視も、１ヶ月に１回程度で不充分であった。ここに大きな盲点があり、テロリスト達は跋扈するであろう。
【課題を解決するための手段】
【０００４】  この度、大手の電力会社と、ラジコンヘリコプターでは国内最大手のメーカーと、千葉大学工学部が共同で、飛行精度が非常に高い小型の無人巡視ヘリコプター（ラジコンヘリコプター）が開発され、主に山岳地帯の高圧送電鉄塔の送電線の巡視に２００６年から実用化されることになった。
このラジコンヘリコプターの飛行精度の誤差は、数センチ単位といわれる程最優秀なもので、当該ラジコンヘリコプターの特徴は衛星利用測位システム（ＧＰＳ）で位置を確認しながら、自力で飛行し、高圧鉄塔の送電線を点検するもので、あらかじめプログラムしたルートを飛行し、山岳地帯の場所に設置された高圧鉄塔の送電線を点検するもので、このラジコンヘリコプターに高性能のカメラを搭載して、状況の映像を無線で地上に送信するものである。
本発明は、この巡視飛行作業中に、ついでに、主に高圧鉄塔の基部の部材、部位を固定又は締めつけてある、ボルト（５）及びナット（６）も、空撮して地上に送信すれば、ボルトナットの異変は直ちに判明するので、保全と保安は飛躍的に向上する。高圧鉄塔を倒壊さすためには、鉄塔の最基部の、基礎鉄塔部材（７）と鉄塔部材（８）を、連結固定している、ボルト（５）を引き抜く事が最も効果があり、それ以外のボルトを抜いても、倒壊の確率は非常に小さい、従って、この個所のボルト（５）及びナット（６）を、経費、人員を動員しても重視すべきである。安全を確保し保安を万全とするためには、経費が必要である。
このラジコンヘリコプターは、地上約７０メートル前後の高度を保ちながら飛行する。なぜなら、送電線は鉄塔の最上部に設置されており、その設置高度は地上から約７０〜８０メートルである。
従って、全国すべての各々の電力会社が保有する、高電圧送電鉄塔は、鉄塔の高低、大小の差はあるが、すべての構造が同一であるから、鉄塔を形成のために用いている、ボルトナットも同一である。従って、現状のボルトナットの仕様、形状では小さくて、高度７０〜８０メートルを飛行中のラジコンヘリコプターからは、鮮明な空撮は難しい。現状のボルトナットの大きさは、大きいものでも直径３ｃｍ位である。
【作用】
【０００５】  高度７０〜８０メートルを保持しながら飛行する、ラジコンヘリコプターに搭載したカメラで鮮明に空撮するには、ボルトナットを目立つようにすればよい。
但し、すべてのボルトナットを取り外して、新たな目立つ大きなボルトナットに交換することは、莫大な経費と日時を要するので不可能である。
本発明は、安価で丈夫で簡単に実施可能で、効果も抜群であるようにしたものである。
【実施】
【０００６】  高電圧送電鉄塔の構造は、建設地に堅固なコンクリート床（４）を設け、この際に、鉄塔を４角錐に形成するため、断面がＬ型の鋼材で長さ１ｍ〜２ｍの４本の基礎鉄塔部材（７）を直立するように埋め込んで、コンクリートを打設し、この４本の基礎鉄塔部材（７）に断面がＬ型の長さ１０ｍ位の鉄塔部材（８）を繋いでボルト（５）ナット（６）で固定し、順次上空に高さ約７０ｍから８０ｍに構築するもので、大になると高さ１００ｍの鉄塔も存在する。完成時の形状は４本柱の４角錐の形状である。
既設の高圧送電鉄塔に用いてあるボルト、ナットを、目立つようにするには、断面が丸筒又は六角筒の片方を密閉して、この部位の外側面に、目立つ色をした棒柱（２）の先端に、黄色又は白色又は夜光塗料又は発光ダイオード（ＬＥＤ）等発光体で、目立つ色彩を施した球（３）を設け、この球（３）を設けた棒柱（２）の片方を、筒部（１）の片方を密閉した部位の外側面の中心部に、直立するように強力な接着剤で固定する。
筒部（１）の片方が中空になっているから、この中空の内側に強力な接着剤を塗布又はグリス状の接着剤を詰めて、ボルトの頂上部又はナットに被覆固定する。
棒柱（２）の中央部を、くの字形に形成してもよい。これはボルト又はナットに被覆した後、上空を飛行するラジコンヘリコプターから空撮しやすくするためである。くの字形に形成して、ボルト又はナットに被覆する際、球（３）の指向を交互にすれば、上空から見た場合、個々の球（３）がはっきりと見えるためである。棒柱（２）の中央部を、くの字形に形成しないと、上空から見た場合、球（３）が重なるようにして見えるから、個々のボルトナットの状況が確認できない恐れがある。
球（３）の直径は、ラジコンヘリコプターに搭載する、空撮カメラの性能及び現場の状況から、自在に可能である。また棒柱（２）の長さ、直径の選定も自由自在である。球（３）及び棒柱（２）及び筒部（１）は腐蝕しにくい合成樹脂製が最適である。
【発明の効果】
【０００７】  本発明の最重要点は、目立つ色彩を施した球（３）と棒柱（２）にある。
テロリスト及び犯罪者が、ターニーレンチ又はボックス型レンチ等を使って高圧鉄塔を、破壊、倒壊さすために着手実行する場合、彼等はこの着手時には絶対倒壊させない。
なぜなら、彼等はすこぶる狡猾で、着手、即倒壊さすと逮捕、場合によっては射殺される恐れがあるからである。テロリスト等は全部のボルトは抜き取らず、４本〜５本程度残して、後日のわずかな風力で倒壊させるものである。
従って、球（３）及び棒柱（２）がボルト（５）又はナット（６）に直立していないのは、抜き取られたか、又は異変が発生したものと、即座に判明可能である。１９９８年２月２０日の四国電力の鉄塔倒壊事件は正にこの通りで、４本〜５本のボルトが残留されていた
従って、ラジコンヘリコプターには、送電線空撮用のカメラと、ボルトナットを空撮するカメラを２台搭載すれば、同時に送信、映像化されるので、ラジコンヘリコプターの飛行高度は一定に保つ事が可能で、飛行高度の変更のための、複雑なプログラムの創設は必要ない。なお、本発明を実施すれば、棒柱（２）及び球（３）が、遠方からでも非常に目立つので、有人巡視ヘリコプターの場合、鉄塔に過接近せずともよく、従って、パイロットのみで巡視飛行が可能となり、省人化と飛行の安全が著しく向上する。
全詳記の通り、本発明は実に簡単な方法で、テロリスト等犯罪者に過度に抑圧、抑止を与え、心理的にも強い動揺を与え、市民の生活に不可欠な電力を保全、保安ができるもので、この貢献度は絶大である。
【図面の簡単な説明】
【図１】  本発明の平面図である
【図２】  本発明の一部分の側面図である。
【図３】  本発明の一部分の斜視図である。
【符号の説明】
１は筒部
２は棒柱
３は球
４はコンクリート床
５はボルト
６はナット
７は基礎鉄塔部材
８は鉄塔部材
【図１】
2007010126.tif 000002
【図２】
2007010126.tif 000003
【図３】
2007010126.tif 000004